(57)【要約】【課題】一対の端子を有する２つの口金を介して電源に接続されるＬＥＤを備えるＬＥＤ照明灯において、グロースタータ式蛍光灯器具に対してはグロースタータへの大電流（過電流）の流入を防止し、インバータ式蛍光灯器具に対しては口金の２つの端子ピン間の電流検知が可能とし、ラピッドスタート式蛍光灯器具に対しても支障が生じず、何れの蛍光灯器具にも対応することが出来るＬＥＤ照明灯を提供する。【解決手段】第１端子ピン対１５ａの２つの端子の間及び第２端子ピン対１５ｂの２つの端子間に、インピーダンスが１０Ωである第１抵抗１７１ａ及び第１コンデンサー１７２ａ並びに第２抵抗１７１ｂ及び第２コンデンサー１７２ｂを夫々備え、第１端子ピン対１５ａの２つの端子の間及び第２端子ピン対１５ｂの２つの端子の間を接続させる。【選択図】図５
2008277188.tif 000002
【特許請求の範囲】
【請求項１】
照明用ＬＥＤを備えたＬＥＤ照明灯において、
グロースタータ式蛍光灯器具、インバータ式蛍光灯器具及びラピッドスタート式蛍光灯器具の何れに対しても使用可能とするためのインピーダンス素子を備えてなることを特徴とするＬＥＤ照明灯。
【請求項２】
始動回路を備えた蛍光灯器具に使用されるＬＥＤ照明灯において、
前記始動回路の短絡を防止するインピーダンス素子を備えたことを特徴とするＬＥＤ照明灯。
【請求項３】
一対の端子を有する２つの口金を介して電源に接続されるＬＥＤを備えるＬＥＤ照明灯において、
各口金の一対の端子間に、インピーダンス素子を接続してあることを特徴とするＬＥＤ照明灯。
【請求項４】
フィラメントを加熱するための電気要素を備えた蛍光灯器具に使用され、電源及び前記電気要素に夫々接続される一対の端子を有する２つの口金並びに該口金を介して前記電源に接続されるＬＥＤを備えるＬＥＤ照明灯において、
各口金の一対の端子間の接続を行い、かつ該接続によって前記電気要素に流れる電源からの電流を制限するインピーダンス素子を夫々備えてあることを特徴とするＬＥＤ照明灯。
【請求項５】
前記インピーダンス素子は、インピーダンスの値が１０Ω〜１００Ωであることを特徴とする請求項１乃至４のいずれか一つに記載のＬＥＤ照明灯。
【請求項６】
前記一対の端子に並列接続する全波整流回路部を設けてあることを特徴とする請求項１乃至５のいずれか一つに記載のＬＥＤ照明灯。
【請求項７】
前記インピーダンス素子は、抵抗又はコンデンサーであることを特徴とする請求項１乃至６のいずれか一つに記載のＬＥＤ照明灯。
【請求項８】
請求項１乃至７のいずれか一つに記載のＬＥＤ照明灯と、
該ＬＥＤ照明灯に電力を供給する回路と
を備えることを特徴とする灯器具。
【請求項９】
請求項１乃至７のいずれか一つに記載のＬＥＤ照明灯と、
グロースタータ式蛍光灯器具、インバータ式蛍光灯器具又はラピッドスタート式蛍光灯器具のいずれか一つと
を備えることを特徴とする灯器具。
【発明の詳細な説明】
【技術分野】
【０００１】
本発明は、発光ダイオード（以下、ＬＥＤと略す）を備えるＬＥＤ照明灯及び該ＬＥＤ照明灯を用いた灯器具に関する。
【背景技術】
【０００２】
フィラメントの電極を有する蛍光ランプが使用される蛍光灯器具はグロースタータ式、ラピッドスタート式及びインバータ式に大別される。グロースタータ式においては点灯回路が、一般に安定器とグロースタータにより構成されている。電源が入った場合、前記安定器、一方のフィラメント、グロースタータ、他方のフィラメントの順に電流が流れ、両フィラメントが加熱される。次いで、グロースタータが動作し、前記回路が切れる。この際、蛍光ランプの両フィラメントの間に高い電圧（千数百ボルト）のパルス電圧が発生し、放電（蛍光ランプが点灯）する。この放電により流れる電流は、安定器により規制される。
【０００３】
ラピッドスタート式は、グロースタータがなくても蛍光ランプが始動（放電）できるよう点灯回路と蛍光ランプに工夫がされている。点灯回路には蛍光ランプの両フィラメントを加熱するための加熱電流を流す回路が設けられている。また、例えば、４０形蛍光ランプでは両フィラメントの間に２００Ｖ以上の電圧が供給されるように設計されている。電源が入った場合、両フィラメントが加熱（予熱）され、両フィラメントに２００Ｖ以上の電圧が供給される。一方、ラピッドスタート式に対応する蛍光ランプは主にガラス管内面に導電性被膜を形成しているので、グロースタータ式より低い電圧で始動（放電）を開始することが出来る。
【０００４】
また、インバータ式は、商用の交流電源を整流及び平滑し、２００００‐１０００００Ｈｚの高周波の交流に変換して蛍光灯を点灯させるものである。従って、安定器の小型軽量化、電力損の低減、蛍光ランプの電極損失低下に伴う効率向上、光のフリッカ減少等の特徴を有することから、近年、その需要は増加している。また、メーカによって多少の違いはあるものの、前記フィラメントを流れる電流を検知し、前記電流値が一定以上の場合に光源へ電圧を印加するなどの制御を行う場合が多い。
【０００５】
一方、青色ＬＥＤの開発により、青色ＬＥＤと、青色の光に励起され黄色に発光する蛍光体とから構成されるシングルチップ方式の白色ＬＥＤ、２色以上のＬＥＤによる混光を利用するマルチチップ方式の白色ＬＥＤ等の白色ＬＥＤが商用化されている。最近は、小型、省電力というＬＥＤの特徴から、特に照明の光源としてのＬＥＤの使用が急増している。
【０００６】
上述のようなＬＥＤの照明への適用の一例としては、既存の蛍光ランプの外見を維持させ、既存の蛍光灯器具の活用を可能としたＬＥＤ照明灯が挙げられる。
【０００７】
このように既存の蛍光ランプに代えてＬＥＤ照明灯を蛍光灯器具に備える場合は、既存の蛍光ランプにおいては放電のために必要であった口金のフィラメント、該フィラメントを加熱する加熱電流の回路（例えばグロースタータ）等が不要になり、口金の端子ピン対の内でグロースタータと接続される何れか一方の端子ピンも不要である。この場合、簡単に端子ピン対をショートしてＬＥＤの光源へ接続する構成にしても良いが、端子ピン対をショートした場合、ＬＥＤの光源に印加される高電圧がグロースタータにもそのまま印加され、グロースタータの故障を招くうえ、以降の既存蛍光ランプの使用に支障をもたらすといった問題があった。
【０００８】
このような問題に対し、例えば特許文献１では、蛍光ランプ点灯のためのフィラメントの加熱回路（電気要素）を備えた既存の蛍光灯器具に対応できる回路構成を有するＬＥＤ照明装置を提案している。
【０００９】
また、蛍光ランプの端子ピン対の内、何れか一本のみが電源と接続されるが、何れの方が電源と接続されるのかがメーカによって異なるといった現状を考慮し、特許文献２では、何れか一方の口金にワイヤードＯＲ回路を備えることにより、既存の蛍光灯器具のソケットへ取り付ける際、取り付け方向に影響されること無く安全に点灯するＬＥＤ照光装置を提案している。
【特許文献１】特開２００４−１９２８３３号公報
【特許文献２】特開２００６−１０００３６号公報
【発明の開示】
【発明が解決しようとする課題】
【００１０】
しかしながら、特許文献１のＬＥＤ照明装置及び特許文献２のＬＥＤ照光装置は、グロースタータ式蛍光灯器具及びラピッドスタート式蛍光灯器具には対応できるが、インバータ式蛍光灯器具に対応することが出来ない。
【００１１】
つまり、特許文献１のＬＥＤ照明装置はフィラメントがなく、端子ピン対の間が開いている状態であるので、インバータ式蛍光灯器具に使用された場合、前記フィラメントを流れる電流を検知することが出来ず、ＬＥＤ照明装置に印加されるべき電圧が印加されなくなる等の使用上の障害が生じるといった問題がある。
【００１２】
また、特許文献２のＬＥＤ照光装置においては、何れか一方の口金にのみワイヤードＯＲ回路が設けられショートされているので、前記端子ピン間の電流検知はできるものの、口金の２つの端子ピンは夫々電源及び電子安定器と接続しているので、電源から蛍光灯互換ＬＥＤ照明管に印加される高電圧が電子安定器の前記加熱回路にもそのまま印加され、前記電子安定器の故障を招く虞があった。  
【００１３】
本発明は斯かる事情に鑑みてなされたものであり、その目的とするところは、グロースタータ式蛍光灯器具、インバータ式蛍光灯器具、ラピッドスタート式蛍光灯器具等の何れの蛍光灯器具に対しても支障が生じず、何れの蛍光灯器具にも対応することが出来るＬＥＤ照明灯を提供することにある。
【００１４】
また、本発明の他の目的とするところは、グロースタータ式蛍光灯器具に対しては、フィラメントを加熱するための電気要素であるグロースタータへの電源からの大電流（過電流）の流入を防止し、インバータ式蛍光灯器具に対しては口金の２つの端子ピン間の電流検知を可能とし、ラピッドスタート式蛍光灯器具に対しても支障が生じず、何れの蛍光灯器具にも対応することが出来るＬＥＤ照明灯を提供することにある。
【００１５】
さらに、本発明のもう一つの他の目的は、ＬＥＤのチラツキ減少及び、交流から直流への変換効率の向上を図ることが出来るＬＥＤ照明灯を提供することにある。
【００１６】
さらにまた、本発明のもう一つの他の目的は、上述のＬＥＤ照明灯を備えた灯器具を提供することにある。
【課題を解決するための手段】
【００１７】
本発明に係るＬＥＤ照明灯は、照明用ＬＥＤを備えたＬＥＤ照明灯において、グロースタータ式蛍光灯器具、インバータ式蛍光灯器具及びラピッドスタート式蛍光灯器具の何れに対しても使用可能とするためのインピーダンス素子を備えてなることを特徴とする。
【００１８】
本発明に係るＬＥＤ照明灯は、始動回路を有する安定器を備えた蛍光灯器具に使用されるＬＥＤ照明灯において、該始動回路の短絡を防止するインピーダンス素子を備えたことを特徴とする。
【００１９】
本発明に係るＬＥＤ照明灯は、一対の端子を有する２つの口金を介して電源に接続されるＬＥＤを備えるＬＥＤ照明灯において、各口金の一対の端子間にインピーダンス素子を接続してあることを特徴とする。
【００２０】
本発明に係るＬＥＤ照明灯は、フィラメントを加熱するための電気要素を備えた蛍光灯器具に使用され、電源及び前記電気要素に夫々接続される一対の端子を有する２つの口金並びに該口金を介して前記電源に接続されるＬＥＤを備えるＬＥＤ照明灯において、各口金の一対の端子間の接続を行い、かつ該接続によって前記電気要素に流れる電源からの電流を制限するインピーダンス素子を夫々備えてあることを特徴とする。
【００２１】
本発明にあっては、グロースタータ式蛍光灯器具に使用された場合は、電源からの大電流（過電流）が前記インピーダンス素子によって制限されてからグロースタータへ供給され、グロースタータへの大電流（過電流）の供給が防止される。また、インバータ式蛍光灯器具に使用された場合は、口金の２つのピン間の電流が検知でき、前記ＬＥＤへの電圧の印加が正常に行われる。ラピッドスタート式蛍光灯器具に使用された場合は、電子安定器からの加熱のための電流が前記インピーダンス素子へ流れて消費されるだけでＬＥＤの点灯等に支障を起こさない。
【００２２】
本発明に係るＬＥＤ照明灯は、前記インピーダンス素子は、インピーダンスの値が１０Ω〜１００Ωであることを特徴とする。
【００２３】
本発明にあっては、インピーダンスの値が１０Ω〜１００Ωであるインピーダンス素子を用いて各口金の一対の端子間を接続し、インピーダンスの値が高すぎる場合の電流検知の不能並びに、インピーダンス値が低すぎる場合のグロースタータ等のフィラメント加熱のための電気要素への大電流（過電流）の流入に備える。
【００２４】
本発明に係るＬＥＤ照明灯は、前記一対の端子に並列接続する全波整流回路部を設けてあることを特徴とする。
【００２５】
本発明にあっては、前記一対の端子に並列接続する前記全波電流回路部を設け、交流で点灯する場合よりＬＥＤのチラツキを減少させると共に、交流から直流への変換効率を向上させる。
【００２６】
本発明に係るＬＥＤ照明灯は、前記インピーダンス素子は、抵抗又はコンデンサーであることを特徴とする。
【００２７】
本発明にあっては、前記抵抗又はコンデンサーを前記インピーダンス素子として使用することによって、グロースタータ式蛍光灯器具への使用の場合は、グロースタータへ供給される電源からの大電流（過電流）を前記抵抗又はコンデンサーに経由させて制限し、グロースタータを保護する。また、インバータ式蛍光灯器具への使用の場合は、前記抵抗又はコンデンサーに流れる電流を検知でき、前記ＬＥＤへの電圧の印加が正常に行われる。ラピッドスタート式蛍光灯器具に使用された場合は、電子安定器からの加熱のための電流が前記抵抗又はコンデンサーへ流れて消費されるだけであり、ＬＥＤの点灯等に支障を起こさない。
【００２８】
本発明に係る灯器具は、上述のいずれか一つのＬＥＤ照明灯と、該ＬＥＤ照明灯に電力を供給する回路とを備えることを特徴とする。
【００２９】
本発明にあっては、前記回路を介して電源からの電力が前記ＬＥＤ照明灯に供給され、ＬＥＤ照明灯が点灯する。
【００３０】
本発明に係る灯器具は、グロースタータ式蛍光灯器具又はインバータ式蛍光灯器具若しくはラピッドスタート式蛍光灯器具のいずれか一つを備えることを特徴とする。
【発明の効果】
【００３１】
本発明によれば、フィラメントを加熱するための電気要素を備える例えば、グロースタータ式蛍光灯器具、インバータ式蛍光灯器具、ラピッドスタート式蛍光灯器具等の何れの蛍光灯器具に対しても支障が生じず、何れの蛍光灯器具にも対応することが出来るＬＥＤ照明灯を得ることができる。
【００３２】
本発明によれば、グロースタータ式蛍光灯器具に対しては、フィラメントを加熱するための電気要素であるグロースタータへの大電流（過電流）の流入を防止し、インバータ式蛍光灯器具に対しては口金の２つの端子ピン間の電流検知を可能とし、ラピッドスタート式蛍光灯器具に対しても支障が生じず、何れの蛍光灯器具にも対応することが出来る。
【００３３】
さらに、本発明によれば、前記一対の端子に並列接続する全波整流回路部を備えているので、ＬＥＤのチラツキが減少し、交流から直流への変換効率が向上する。
【発明を実施するための最良の形態】
【００３４】
（実施の形態１）
以下、本発明の実施の形態１に係るＬＥＤ照明灯を天井に配設されたグロースタータ式蛍光灯器具に取り付けた場合を、本発明の実施の形態１に係る灯器具の例として詳述する。図１は本発明の実施の形態１に係るＬＥＤ照明灯１が蛍光灯器具Ａに取り付けられた状態を示す縦断面図であり、図２は本発明の実施の形態１に係るＬＥＤ照明灯１の破断面図、図３は、図２のIII‐III 線による拡大断面図である。
【００３５】
実施の形態１に係るＬＥＤ照明灯１は、円筒状をなす保護筒２と、保護筒２内に収容される光源部１０と、保護筒２の両端を蓋する口金３０，３０とを備えている。保護筒２は乳白色のアクリル製であり、口金３０，３０はアルミニウム製である。
【００３６】
光源部１０は、一面に複数の白色ＬＥＤ１１，１１，１１，…が半田付けされている回路基板１２とからなるＬＥＤモジュール１６を備えている。ＬＥＤモジュール１６には白色ＬＥＤ１１，１１，１１，…の直列回路が複数並列接続している。回路基板１２は、各口金３０，３０の対向方向を長さ方向とする矩形をなしており、保護筒２の長さより少し短い長さ及び保護筒２の内径より小さい幅を有している。一方、天井と対向する回路基板１２の他面には定電流回路１３、全波整流器１４，１４を備えている。各口金３０，３０からの商用電源の交流を直流に変換する全波整流器１４，１４及び、全波整流器１４，１４と接続されて白色ＬＥＤ１１，１１，１１，…に供給する電流を一定電流に制御する定電流回路１３が接続されている。全波整流器１４，１４は後述の全波整流回路１４１ａ，１４１ｂを備えている。保護筒２の両端部は夫々先端に向けて縮径しており、口金３０，３０により覆われている。
【００３７】
口金３０，３０は保護筒２の端部に倣う円筒状をなしており、一端側に底を有して保護筒２の端部を夫々覆っている。口金３０，３０は、光源部１０を商用電源に接続させるための２つの端子ピン対１５，１５を夫々備えている。端子ピン対１５，１５は保護筒２の内側から外側に向けて前記底を貫通しており、端子ピン対１５，１５の一端は後述の抵抗１７ａ，１７ｂを通じて全波整流器１４，１４と接続しており、全波整流器１４，１４は定電流回路１３と接続している。端子ピン対１５，１５の他端は後述のソケット部Ａ１，Ａ１に接続されている。端子ピン対１５，１５の２つの端子の内、何れか一方はソケット部Ａ１，Ａ１を介してグロースタータ（図示せず）と接続しており、他方はソケット部Ａ１，Ａ１及び安定器（図示せず）を通じて商用電源と接続している。
【００３８】
蛍光灯器具Ａは、口金３０，３０の端子ピン対１５，１５と接続するソケット部Ａ１，Ａ１を備えている。ソケット部Ａ１，Ａ１は端子ピン対１５，１５に対応する位置に、端子ピン対１５，１５が嵌合されるソケット側端子Ａ２，Ａ２を備えている。ソケット側端子Ａ２，Ａ２は、端子ピン対１５，１５に倣う形状の電気的及び機械的接続のための嵌合穴である。
【００３９】
図４は実施の形態１に係るＬＥＤ照明灯１がグロースタータ式蛍光灯器具に取り付けられた場合の概略回路図である。図中一点鎖線により囲まれた部分は実施の形態１に係るＬＥＤ照明灯１を示す。
【００４０】
実施の形態１に係るＬＥＤ照明灯１は、ＬＥＤモジュール１６、定電流回路１３、第１全波整流器１４ａ、第２全波整流器１４ｂ、第１抵抗１７ａ、第２抵抗１７ｂ、第１口金３０ａ、第２口金３０ｂを備えている。第１端子ピン対１５ａの端子１５２ａ及び、第２端子ピン対１５ｂの端子１５２ｂはグロースタータＡ３に接続されおり、端子１５１ａ及び端子１５１ｂは商用電源Ｐと接続しているが、第１口金３０ａの端子１５１ａは安定器Ａ４を通じて商用電源Ｐと接続している。実施の形態１に係るＬＥＤ照明灯１のＬＥＤモジュール１６は、蛍光灯器具へ取り付ける際に取り付け方向に影響されずに点灯できるように、第１端子ピン対１５ａ及び第２端子ピン対１５ｂに対してＯＲ回路を構成している。
【００４１】
第１口金３０ａの端子１５１ａ及び端子１５２ａはインピーダンス素子としての例えば、１０Ωのインピーダンスを有する第１抵抗１７ａにより接続されており、第１抵抗１７ａに第１全波整流器１４ａの入力側端子が接続されている。また、第２口金３０ｂの端子１５１ｂ及び端子１５２ｂも１０Ωのインピーダンスを有する第２抵抗１７ｂにより接続されており、第２抵抗１７ｂに第２全波整流器１４ｂの入力側端子が接続されている。第１全波整流器１４ａの出力側の正側端子には、定電流回路１３を通じてＬＥＤモジュール１６のアノード側端子が接続されており、ＬＥＤモジュール１６のカソード側端子は第２全波整流器１４ｂ出力側の負側端子に接続されている。第１全波整流器１４ａ及び第２全波整流器１４ｂの出力側の各正側端子は相互接続されており、該出力側の各負側端子も相互接続されている。
【００４２】
図５は、図４に係るＬＥＤ照明灯１の具体的な例を示す回路図である。図５のＬＥＤ照明灯１は、３６９個の白色ＬＥＤ１１，１１，１１，…を備えるＬＥＤモジュール１６と、ヒューズ１９（又は遮断・接合を繰り返すプロテクタ等）とを備えており、インピーダンス素子としての例えば、第１抵抗１７１ａ及び第１コンデンサー１７２ａ並びに第２抵抗１７１ｂ及び第２コンデンサー１７２ｂを更に備えている。第１抵抗１７１ａ及び第１コンデンサー１７２ａ並びに第２抵抗１７１ｂ及び第２コンデンサー１７２ｂのインピーダンスは夫々１０Ωである。その他、図４と同一の部分には同一の符号を付し、その詳細な説明は省略する。
【００４３】
以下、図４に基づき、本発明の実施の形態１に係るＬＥＤ照明灯１の点灯について説明する。スイッチ（図示せず）をオンにした場合、商用電源Ｐからの交流電流が安定器Ａ４を通じて第１端子ピン対１５ａの端子１５１ａに流れる。交流電流は端子１５１ａを経由して第１全波整流器１４ａに流れ、第１全波整流器１４ａにて全波整流されて直流電流に変換される。変換された直流電流は定電流回路１３に流れ、定電流回路１３にて電流が適宜調整される。調整された電流はＬＥＤモジュール１６に流れ、白色ＬＥＤ１１，１１，１１，…が白色に発光する。
【００４４】
一方、第１端子ピン対１５ａの端子１５１ａ及び端子１５２ａ並びに、第２端子ピン対１５ｂの端子１５１ｂ及び端子１５２ｂは、夫々第１抵抗１７ａ及び第２抵抗１７ｂを通じて相互接続されているので、端子１５１ａ又は端子１５１ｂに流入される商用電源Ｐからの大電流（過電流）は第１抵抗１７ａ及び第２抵抗１７ｂを通じて端子１５２ａ又は１５２ｂにも流れ、ひいては端子１５２ａ，１５２ｂと接続しているグロースタータＡ３に流れることとなる。つまり、商用電源Ｐからの大電流（過電流）が直接グロースタータＡ３に流れないで、第１抵抗１７ａ及び第２抵抗１７ｂを通じて流れることにより制限され、大電流（過電流）によるグロースタータＡ３の故障が未然に防止される。
【００４５】
上述の実施の形態１においては、第１抵抗１７ａ及び第２抵抗１７ｂのインピーダンスが１０Ωである場合を例として説明したがこれに限るものでなく、既存蛍光ランプのフィラメントのインピーダンスに近似する１０Ωから１００Ωまでの範囲のインピーダンスであれば良い。
【００４６】
上述の実施の形態１においては、ＬＥＤ照明灯１をグロースタータ式蛍光灯器具に取り付ける場合を例として説明したが、これに限るものでない。例えば、ラピッドスタート式蛍光灯器具に取り付けられた場合は、電子安定器からの加熱電流が第１端子ピン対１５ａの何れかの端子に流れても、第２端子ピン対１５ｂの何れかの端子に流れても、第１抵抗１７ａ及び第２抵抗１７ｂにて前記加熱電流が消費されるたけであり、ＬＥＤ照明灯は支障を起こすことなく点灯される。
【００４７】
上述の実施の形態１においては、ＬＥＤ照明灯１をグロースタータ式蛍光灯器具に取り付ける場合を例として説明したがこれに限るものでない。例えば、インバータ式蛍光灯器具に取り付けられた場合は、第１端子ピン対１５ａの何れか一方の端子及び、第２端子ピン対１５ｂの何れか一方の端子に流れる電子安定器からの加熱電流が、第１抵抗１７ａ及び第２抵抗１７ｂを通じて夫々他方の端子に流れる。従って、第１端子ピン対１５ａ及び第２端子ピン対１５ｂの何れに対しても、２つの端子の間の電流の検知が可能であり、電子安定器の放電電圧の印加が続けられ、ＬＥＤ照明灯が点灯される。
【００４８】
（実施の形態２）
以下、本発明の実施の形態２に係るＬＥＤ照明灯１をインバータ式蛍光灯器具に取り付けた場合を、本発明の実施の形態２に係る灯器具の例として説明する。なお、実施の形態１と同一の部分については同一の符号を付している。
【００４９】
図６は実施の形態２に係るＬＥＤ照明灯１がインバータ式蛍光灯器具に取り付けられた場合の概略回路図である。図中一点鎖線により囲まれた部分は実施の形態２に係るＬＥＤ照明灯１を示す。
【００５０】
実施の形態２に係るＬＥＤ照明灯１は、ＬＥＤモジュール１６、定電流回路１３、第１全波整流器１４ａ、第２全波整流器１４ｂ、第１抵抗１７１ａ、第２抵抗１７１ｂ、第１コンデンサー１７２ａ、第２コンデンサー１７２ｂ、第１口金３０ａ及び第２口金３０ｂを備えており、ＬＥＤモジュール１６は第１端子ピン対１５ａ及び第２端子ピン対１５ｂに対してＯＲ回路を構成している。
【００５１】
第１端子ピン対１５ａの端子１５１ａ及び端子１５２ｂ並びに、第２端子ピン対１５ｂの端子１５１ｂ及び端子１５２ｂは共に電子安定器Ａ５を通じて商用電源Ｐと接続している。インバータ式蛍光灯器具においては、電子安定器Ａ５がフィラメントを加熱する加熱回路（図示せず）及び蛍光灯の放電のための電圧印加回路（図示せず）を共に備えているからである。また、インバータ式蛍光灯器具においては、電子安定器Ａ５が、第１端子ピン対１５ａ又は第２端子ピン対１５ｂの何れか一方の２つの端子間の電流を検知し、一定以上である場合のみ放電のための電圧（以下、放電電圧）を印加し、一定以下である場合、つまりフィラメントが切れている場合は放電電圧の印加を中止する制御等を行っていた。
【００５２】
第１口金３０ａの端子１５１ａ及び１５２ａには第１抵抗１７１ａ及び第１コンデンサー１７２ａが並列接続されており、第１抵抗１７１ａ及び第１コンデンサー１７２ａには、第１全波整流器１４ａの入力側端子が接続している。第１抵抗１７１ａ及び第１コンデンサー１７２ａのインピーダンスは１０Ωである。また、第２口金３０ｂの端子１５１ｂ及び１５２ｂも第２抵抗１７１ｂ及び第２コンデンサー１７２ｂが並列接続されており、第２抵抗１７１ｂ及び第２コンデンサー１７２ｂには、第２全波整流器１４ｂの入力側端子が接続されている。第２抵抗１７１ｂ及び第２コンデンサー１７２ｂのインピーダンスは１０Ωである。第１全波整流器１４ａの出力側の正側端子には、定電流回路１３を通じてＬＥＤモジュール１６のアノード側端子が接続されており、ＬＥＤモジュール１６のカソード側端子は第２全波整流器１４ｂ出力側の負側端子に接続されている。第１全波整流器１４ａ及び第２全波整流器１４ｂの出力側の各正側端子は相互接続されており、該出力側の各負側端子も相互接続されている。
【００５３】
以下、本発明の実施の形態２に係るＬＥＤ照明灯１の点灯について説明する。スイッチ（図示せず）をオンにした場合、電子安定器Ａ５の働きにより、加熱のための加熱電流が第１端子ピン対１５ａの端子１５２ａ又は第２端子ピン対１５ｂの端子１５２ｂに流れると共に、放電電圧が印加され、端子１５１ａ又は端子１５１ｂに流れる。端子１５１ａ又は端子１５１ｂを経由した交流電流は、第１全波整流器１４ａ又は第２全波整流器１４ｂに流れ、第１全波整流器１４ａ又は第２全波整流器１４ｂにて全波整流されて直流電流に変換される。変換された直流電流は定電流回路１３に流れ、定電流回路１３にて電流が適宜調整される。調整された電流はＬＥＤモジュール１６に流れ、白色ＬＥＤ１１，１１，１１，…が白色に発光する。
【００５４】
一方、第１端子ピン対１５ａの端子１５１ａ及び端子１５２ａは、第１抵抗１７１ａ及び第１コンデンサー１７２ａを通じて相互接続されており、第２端子ピン対１５ｂの端子１５１ｂ及び端子１５２ｂは、第２抵抗１７１ｂ及び第２コンデンサー１７２ｂを通じて相互接続されている。例えば電子安定器Ａ５から加熱電流が端子１５２ａ又は端子１５２ｂ流れる場合、前記加熱電流は、第１抵抗１７１ａ及び第１コンデンサー１７２ａを通じて或いは、第２抵抗１７１ｂ及び第２コンデンサー１７２ｂを通じて、端子１５１ａ又は端子１５１ｂに流れ、ひいては端子１５１ａ及び端子１５１ｂを接続している電子安定器Ａ５に流れることとなる。従って、第１端子ピン対１５ａ及び第２端子ピン対１５ｂの何れに対しても、２つの端子の間の電流の検知が可能である。この際、第１抵抗１７１ａ及び第１コンデンサー１７２ａ並びに、第２抵抗１７１ｂ及び第２コンデンサー１７２ｂのインピーダンスは既存の蛍光灯のフィラメントに近似する１０Ωであるので、電子安定器Ａ５は放電電圧の印加を続ける。また、商用電源Ｐからの大電流（過電流）が直接電子安定器Ａ５の加熱回路に流れないで、第１抵抗１７１ａ及び第１コンデンサー１７２ａ（又は第２抵抗１７１ｂ及び第２コンデンサー１７２ｂ）を通じて流れることにより制限され、大電流（過電流）による電子安定器Ａ５の加熱回路の故障が未然に防止される。
【００５５】
上述の実施の形態２においては、第１抵抗１７１ａ及び第１コンデンサー１７２ａ（又は第２抵抗１７１ｂ及び第２コンデンサー１７２ｂ）のインピーダンスが１０Ωである場合を例として説明したがこれに限るものでなく、既存蛍光ランプのフィラメントのインピーダンスに近似する１０Ωから、第１端子ピン対１５ａの端子１５１ａ及び端子１５２ａの間或いは、第２端子ピン対１５ｂの端子１５１ｂ及び端子１５２ｂの間の電流検知が可能である１００Ωまでの範囲のインピーダンスであれば良い。
【００５６】
また、実施の形態２においては、第１端子ピン対１５ａ（又は第２端子ピン対１５ｂ）の間を、第１抵抗１７１ａ及び第１コンデンサー１７２ａ（又は第２抵抗１７１ｂ及び第２コンデンサー１７２ｂ）が並列に接続している場合を例として説明したが、これに限るものでなく、直列に設けても良い。
【００５７】
上述の実施の形態２においては、ＬＥＤ照明灯１をインバータ式蛍光灯器具に取り付ける場合を例として説明したがこれに限るものでない。例えば、ラピッドスタート式蛍光灯器具に取り付けられた場合は、電子安定器からの加熱電流が第１端子ピン対１５ａの何れかの端子に流れても、第２端子ピン対１５ｂの何れかの端子に流れても、第１抵抗１７１ａ及び第１コンデンサー１７２ａ並びに、第２抵抗１７１ｂ及び第２コンデンサー１７２ｂにて前記加熱電流が消費されるだけであり、ＬＥＤ照明灯は支障を起こすことなく点灯される。
【００５８】
上述の実施の形態２においては、ＬＥＤ照明灯１をインバータ式蛍光灯器具に取り付ける場合を例として説明したが、これに限るものでない。例えば、グロースタータ式蛍光灯器具に取り付けられた場合は、第１端子ピン対１５ａの何れかの一方の端子又は、第２端子ピン対１５ｂの何れかの一方の端子に流れる商用電源Ｐからの大電流（過電流）が直接グロースタータに流れないで、第１抵抗１７１ａ及び第１コンデンサー１７２ａ或いは、第２抵抗１７１ｂ及び第２コンデンサー１７２ｂを通じてグロースタータに流れることとなる。従って、第１抵抗１７１ａ及び第１コンデンサー１７２ａ或いは、第２抵抗１７１ｂ及び第２コンデンサー１７２ｂにより大電流（過電流）が制限され、大電流（過電流）によるグロースタータの故障が未然に防止できる上、ＬＥＤ照明灯は支障を起こすことなく点灯される。
【００５９】
（実施の形態３）
以下、本発明の実施の形態３に係るＬＥＤ照明灯をインバータ式蛍光灯器具に取り付けた場合を、本発明の実施の形態３に係る灯器具の例として説明する。なお、実施の形態１及び実施の形態２と同一の部分については同一の符号を付している。
【００６０】
図７は実施の形態３に係るＬＥＤ照明灯１がインバータ式蛍光灯器具に取り付けられた場合の概略回路図である。図中一点鎖線により囲まれた部分は実施の形態３に係るＬＥＤ照明灯１を示す。
【００６１】
実施の形態３に係るＬＥＤ照明灯１は、ＬＥＤモジュール１６、定電流回路１３、第１半波整流器１８ａ、第２半波整流器１８ｂ、第１抵抗１７１ａ、第２抵抗１７１ｂ、第１コンデンサー１７２ａ、第２コンデンサー１７２ｂ、第１口金３０ａ及び第２口金３０ｂを備えている。第１半波整流器１８ａ及び第２半波整流器１８ｂには半波整流回路１８１ａ及び１８１ｂが夫々内装され、交流の半サイクルのみを使って直流を得る。
【００６２】
第１端子ピン対１５ａの端子１５１ａ及び端子１５２ｂ並びに、第２端子ピン対１５ｂの端子１５１ｂ及び端子１５２ｂは共に電子安定器Ａ５を通じて商用電源Ｐと接続している。第１口金３０ａの端子１５１ａ及び１５２ａには第１抵抗１７１ａ及びコンデンサー１７２ａが並列接続されており、第１抵抗１７１ａ及び第１コンデンサー１７２ａには、第１半波整流器１８ａの入力側端子が接続している。第１抵抗１７１ａ及び第１コンデンサー１７２ａのインピーダンスは１０Ωである。また、第２口金３０ｂの端子１５１ｂ及び１５２ｂにも第２抵抗１７１ｂ及び第２コンデンサー１７２ｂが並列接続されており、第２抵抗１７１ｂ及び第２コンデンサー１７２ｂには、第２半波整流器１８ｂの出力側端子が接続されている。第２抵抗１７１ｂ及び第２コンデンサー１７２ｂのインピーダンスは１０Ωである。第１半波整流器１８ａの出力側は、定電流回路１３を通じてＬＥＤモジュール１６のアノード側端子が接続されており、ＬＥＤモジュール１６のカソード側端子は第２半波整流器１８ｂの入力側の端子に接続されている。
【００６３】
以下、本発明の実施の形態３に係るＬＥＤ照明灯１の点灯について説明する。スイッチ（図示せず）をオンにした場合、電子安定器Ａ５の働きにより、加熱のための加熱電流が第１端子ピン対１５ａの端子１５２ａに流れると共に、放電電圧が印加される。端子１５１ａを経由した商用電源Ｐからの交流電流は、第１半波整流器１８ａに流れ、第１半波整流器１８ａで半波整流されて直流電流に変換される。変換された直流電流は定電流回路１３に流れ、定電流回路１３にて電流が適宜調整される。調整された電流はＬＥＤモジュール１６に流れ、白色ＬＥＤ１１，１１，１１，…が白色に発光する。以降、電流は第２半波整流器１８ｂ、端子１５１ｂ及び１５２ｂに流れる。
【００６４】
一方、第１端子ピン対１５ａの端子１５１ａ及び端子１５２ａは、第１抵抗１７１ａ及び第１コンデンサー１７２ａを通じて相互接続されており、第２端子ピン対１５ｂの端子１５１ｂ及び端子１５２ｂは、第２抵抗１７１ｂ及び第２コンデンサー１７２ｂを通じて相互接続されている。例えば電子安定器Ａ５から加熱電流が端子１５２ａ又は端子１５２ｂ流れる場合、前記加熱電流は、第１抵抗１７１ａ及び第１コンデンサー１７２ａを通じて或いは、第２抵抗１７１ｂ及び第２コンデンサー１７２ｂを通じて、端子１５１ａ又は端子１５１ｂに流れ、ひいては端子１５１ａ及び端子１５１ｂ接続している電子安定器Ａ５に流れることとなる。従って、第１端子ピン対１５ａ及び第２端子ピン対１５ｂの何れに対しても、２つの端子の間の電流の検知が可能である。この際、第１抵抗１７１ａ及び第１コンデンサー１７２ａ並びに、第２抵抗１７１ｂ及び第２コンデンサー１７２ｂのインピーダンスは既存の蛍光灯のフィラメントに近似する１０Ωであり、電子安定器Ａ５は放電電圧の印加を続ける。また、商用電源Ｐからの大電流（過電流）が直接電子安定器Ａ５の加熱回路に流れないで、第１抵抗１７１ａ及び第１コンデンサー１７２ａ（又は第２抵抗１７１ｂ及び第２コンデンサー１７２ｂ）を通じて流れることにより制限され、大電流（過電流）による電子安定器Ａ５の加熱回路の故障が未然に防止される。
【００６５】
上述の実施の形態３においては、第１抵抗１７１ａ及び第１コンデンサー１７２ａ（又は第２抵抗１７１ｂ及び第２コンデンサー１７２ｂ）のインピーダンスが１０Ωである場合を例として説明したがこれに限るものでなく、既存蛍光ランプのフィラメントのインピーダンスに近似する１０Ωから、第１端子ピン対１５ａの端子１５１ａ及び端子１５２ａの間或いは、第２端子ピン対１５ｂの端子１５１ｂ及び端子１５２ｂの間の電流検知が可能である１００Ωまでの範囲のインピーダンスであれば良い。
【００６６】
また、実施の形態３においては、第１端子ピン対１５ａ（又は第２端子ピン対１５ｂ）の間を、第１抵抗１７１ａ及び第１コンデンサー１７２ａ（又は第２抵抗１７１ｂ及び第２コンデンサー１７２ｂ）が並列に接続している場合を例として説明したが、これに限るものでなく、直列に設けても良い。
【００６７】
上述の実施の形態３においては、ＬＥＤ照明灯１をインバータ式蛍光灯器具に取り付ける場合を例として説明したが、これに限るものでない。例えば、ラピッドスタート式蛍光灯器具に取り付けられた場合は、電子安定器Ａ５からの加熱電流が第１端子ピン対１５ａの何れかの端子に流れても、第２端子ピン対１５ｂの何れかの端子に流れても、第１抵抗１７１ａ及び第１コンデンサー１７２ａ並びに、第２抵抗１７１ｂ及び第２コンデンサー１７２ｂにて前記加熱電流が消費されるだけであり、ＬＥＤ照明灯は支障を起こすことなく点灯される。
【００６８】
上述の実施の形態３においては、ＬＥＤ照明灯１をインバータ式蛍光灯器具に取り付ける場合を例として説明したがこれに限るものでない。例えば、グロースタータ式蛍光灯器具に取り付けられた場合は、第１端子ピン対１５ａの何れかの一方の端子に流れる商用電源Ｐからの大電流（過電流）が直接グロースタータに流れないで、第１抵抗１７１ａ及び第１コンデンサー１７２ａを通じてグロースタータに流れることとなる。従って、大電流（過電流）が第１抵抗１７１ａ及び第１コンデンサー１７２ａにより制限され、大電流（過電流）によるグロースタータの故障が未然に防止できる上、ＬＥＤ照明灯は支障を起こすことなく点灯される。
【００６９】
上述の実施の形態１乃至３においては、インピーダンス素子として抵抗及びコンデンサーが用いられた場合を例として説明したが、これに限るものでなく、インピーダンス素子としてコイルを用いても良い。なお、抵抗、コンデンサー及びコイル夫々の単独使用であっても良く、インピーダンスの範囲が１０Ω−１００Ωであれば、これらを並列又は直列に接続した組み合わせであっても良い。
【図面の簡単な説明】
【００７０】
【図１】本発明の実施の形態１に係るＬＥＤ照明灯が蛍光灯器具Ａに取り付けられた状態を示す縦断面図である。
【図２】本発明の実施の形態１に係るＬＥＤ照明灯の破断面図である。
【図３】図２のIII−III 線による拡大断面図である。
【図４】本発明の実施の形態１に係るＬＥＤ照明灯がグロースタータ式蛍光灯器具に取り付けられた場合の概略回路図である。
【図５】図４に係るＬＥＤ照明灯の具体的な例を示す回路図である。
【図６】本発明の実施の形態２に係るＬＥＤ照明灯がインバータ式蛍光灯器具に取り付けられた場合の概略回路図である。
【図７】本発明の実施の形態３に係るＬＥＤ照明灯がインバータ式蛍光灯器具に取り付けられた場合の概略回路図である。
【符号の説明】
【００７１】
１  ＬＥＤ照明灯
１１  ＬＥＤ
１５  端子ピン対
１５ａ  第１端子ピン対
１５ｂ  第２端子ピン対
１５１ａ，１５２ａ，１５１ｂ，１５２ｂ  端子
１７ａ  第１抵抗
１７ｂ  第２抵抗
１７１ａ  第１抵抗
１７２ａ  第１コンデンサー
１７１ｂ  第２抵抗
１７２ｂ  第２コンデンサー
１４  全波整流器
１４ａ  第１全波整流器
１４ｂ  第２全波整流器
１４１ａ，１４１ｂ  全波整流回路
１８ａ  第１半波整流器
１８ｂ  第２半波整流器
１８１ａ，１８１ｂ  半波整流回路
３０  口金
３０ａ  第１口金
３０ｂ  第２口金
Ａ  蛍光灯器具
Ａ３  グロースタータ
Ａ５  電子安定器
【図１】
2008277188.tif 000003
【図２】
2008277188.tif 000004
【図３】
2008277188.tif 000005
【図４】
2008277188.tif 000006
【図５】
2008277188.tif 000007
【図６】
2008277188.tif 000008
【図７】
2008277188.tif 000009